(57)【要約】【目的】美術館などの施設の利用者に様々な情報をディジタル放送を利用して提供できる施設内展示物情報提供システムを提供する。【構成】施設利用者が施設１内に入るときには、携帯型受信端末２や受信カード（ＩＣカード）を持参してもよいし、施設から借りることもできる。受信カードを持参するときには、施設１内に入るときに、専用の情報書込装置に受信カードを差し込み、鍵情報や期限情報を記録してもらう。施設利用者はこの受信カードを携帯型受信端末２に装填して限定ＣＨを視聴できることになる。また、館内に入る際には、展示物に関連した情報が保存されたマイクロドライブカードを貸与される。ユーザは自身所有のメモリカードを館内に持ち込むことができ、このメモリカードを携帯型受信端末２に装填し、マイクロドライブカード内の情報をメモリカードに転送することができる。【選択図】                図２
2004158955.tif 000002
【特許請求の範囲】
【請求項１】
ディジタル放送を受信する携帯型の放送受信装置及び限定受信番組を視聴可能とするための受信カードを貸与或いは持参によって施設内に持ち込み、放送局は少なくとも施設の展示物に関する情報を載せた放送を限定受信番組として放送し、前記放送受信装置によって前記限定受信番組を施設内では受信可能とするようにしたことを特徴とする施設内展示物情報提供システム。
【請求項２】
請求項１に記載の施設内展示物情報提供システムにおいて、持参された受信カードに限定受信番組を視聴するのに必要とされる情報を施設に設けられた情報書込装置にて書き込むことを特徴とする施設内展示物情報提供システム。
【請求項３】
請求項１又は請求項２に記載の施設内展示物情報提供システムにおいて、施設内のテーマエリア内にチャンネル変更を指令するための無線送信機が設けられており、前記放送受信装置を持つ施設利用者がテーマエリア内に入ると前記無線送信機から送出された指令信号により、当該テーマエリアに対応するチャンネルが前記放送受信装置で自動的に選局されるように構成されたことを特徴とする施設内展示物情報提供システム。
【請求項４】
請求項１乃至請求項３のいずれかに記載の施設内展示物情報提供システムにおいて、携帯型の放送受信装置は記録媒体の読取手段及び通信手段を備え、施設側では展示物の詳細情報を格納した記録媒体を貸与すると共に情報通信スポットを展示物に対応させて設けており、前記放送受信装置に対して前記情報通信スポットから指示情報が与えられ、前記放送受信装置は前記通信手段にて受信した指示情報に基づいて前記記録媒体から当該展示物に関する詳細情報を読み出して提示するように構成されたことを特徴とする施設内展示物情報提供システム。
【請求項５】
請求項４に記載の施設内展示物情報提供システムにおいて、施設利用者による展示物の情報の要求によって前記指示情報を与えたときには、情報通信スポットは要求数をカウントアップするように構成されたことを特徴とする施設内展示物情報提供システム。
【請求項６】
請求項１乃至請求項５のいずれかに記載の施設内展示物情報提供システムにおいて、前記限定受信番組の受信により又は前記記録媒体から情報を読み出すことにより得られた展示物リストに基づいて作成された選択展示物リスト情報を前記受信カードに格納するようにしたことを特徴とする施設内展示物情報提供システム。
【請求項７】
請求項１乃至請求項６のいずれかに記載の施設内展示物情報提供システムにおいて、前記施設内で得られた展示物に関する情報が前記放送受信装置によって施設利用者所有の記録媒体に記録されるのを許容することを特徴とする施設内展示物情報提供システム。
【請求項８】
請求項１乃至請求項７のいずれかに記載の施設内展示物情報提供システムにおいて、前記施設は放送波を遮蔽するように構成されており、施設の屋外に設けられたアンテナから受信した放送波のうち特定周波数の放送波のみを施設内に再送信するように構成されたことを特徴とする施設内展示物情報提供システム。
【発明の詳細な説明】
【０００１】
【産業上の利用分野】
この発明は、美術館や博物館などの施設に展示されている展示物の説明に利用される施設内展示物情報提供システムに関する。
【０００２】
【従来の技術】
美術館などの施設では、携帯音声ガイド機器を利用者に貸し出し、ユーザが展示物の近くに来ると、関連した情報が端末を介してユーザに提供されるといったシステムや、展示物付近に説明映像を映し出すディスプレーを設置して成るシステムなどが知られている。また、データベースから展示品の説明を記録媒体に記録するシステムも知られている（特許文献１参照）。
【０００３】
【特許文献１】
特開平９−１３４３８８号公報
【０００４】
【発明が解決しようとする課題】
美術館などの施設利用者（特に、小学校中学年までの子供たち）が施設を離れた後に、勉強や好奇心を満たすための足がかりとなる情報を得るためには、社会文化施設で配布されるパンフレットや施設見学時に自らが取ったメモ、自ら検索サイト等を利用したインターネットアクセスなどが主なものであり、パンフレット等の紙メディアではもう一度読み直さなければならない手間が発生し、インターネットアクセスではその環境が整っていなければできない。しかも膨大な情報量の中から価値のある情報を見つけ出すのは困難だと言えるので、情報取得へのファーストコンタクトの敷居は高かった。
【０００５】
また、衛星や地上波を用いたディジタル放送においては、多くの情報を多チャンネルで提供できるようになっており、美術等に関する専門チャンネルを放送することも可能である。しかしながら、かかる放送をだれもが見られる放送としてしまうと、美術館などの施設の利用者が少なくなるおそれがある。その逆に、当該専門チャンネルが美術館などでは見ることができるとなれば、美術館などの施設の利用者が多くなると考えられる。また、ディジタル放送を利用して様々な情報を美術館などの利用者に提供できるのが望ましい。
【０００６】
この発明は、上記の事情に鑑み、美術館などの施設の利用者に様々な情報をディジタル放送を利用して提供できる施設内展示物情報提供システムを提供することを目的とする。
【０００７】
【課題を解決するための手段】
この発明の施設内展示物情報提供システムは、上記の課題を解決するために、ディジタル放送を受信する携帯型の放送受信装置及び限定受信番組を視聴可能とするための受信カードを貸与或いは持参によって施設内に持ち込み、放送局は少なくとも施設の展示物に関する情報を載せた放送を限定受信番組として放送し、前記放送受信装置によって前記限定受信番組を施設内では受信可能とするようにしたことを特徴とする。
【０００８】
上記の構成であれば、本来は見ることができない限定受信番組を施設内においては携帯型の放送受信装置により見ることができるようになり、この番組コンテンツによっては施設利用を促すことが可能になり、また、コンテンツのなかには少なくとも施設の展示物に関する情報が存在するので、施設利用者は上記情報を視聴しながら展示物を鑑賞することができる。
【０００９】
持参された受信カードについては、限定受信番組を視聴するのに必要とされる情報を施設に設けられた情報書込装置にて書き込むこととすればよい。
【００１０】
施設内のテーマエリア内にチャンネル変更を指令するための無線送信機が設けられており、前記放送受信装置を持つ施設利用者がテーマエリア内に入ると前記無線送信機から送出された指令信号により、当該テーマエリアに対応するチャンネルが前記放送受信装置で自動的に選局されるように構成されていてもよい。これによれば、施設利用者はテーマエリア内に入ることで自動的に当該テーマエリアに関する情報を前記放送受信装置により視聴することができる。
【００１１】
携帯型の放送受信装置は記録媒体の読取手段及び通信手段を備え、施設側では展示物の詳細情報を格納した記録媒体を貸与すると共に情報通信スポットを展示物に対応させて設けており、前記放送受信装置に対して前記情報通信スポットから指示情報が与えられ、前記放送受信装置は前記通信手段にて受信した指示情報に基づいて前記記録媒体から当該展示物に関する詳細情報を読み出して提示するように構成されていてもよい。これによれば、展示物の展示箇所においてその詳細情報を前記放送受信装置を用いて視聴することができる。
【００１２】
施設利用者による展示物の情報の要求によって前記指示情報を与えたときには、情報通信スポットは要求数をカウントアップするように構成されているのがよい。これによれば、どの展示物について詳細説明の要求が多いか、すなわち、人気のある展示物はどれかといったことを施設側で把握することができる。
【００１３】
前記限定受信番組の受信により又は前記記録媒体から情報を読み出すことにより得られた展示物リストに基づいて作成された選択展示物リスト情報を前記受信カードに格納するようにしてあるのがよい。これによれば、前記受信カードを用いて前記選択展示物リストのなかの展示物の情報を通信などによって取得することが可能となる。
【００１４】
前記施設内で得られた展示物に関する情報が前記放送受信装置によって施設利用者所有の記録媒体に記録されるのを許容するようにしているのがよい。これにより、展示物の情報をメモするといった作業は不要になり、施設利用者は自宅のパーソナルコンピュータ等を用いて情報を編集することが可能となる。展示物の情報としてＵＲＬを組み入れておけば、インターネットを通じて情報を取得することも容易に行なえることになる。
【００１５】
前記施設は放送波を遮蔽するように構成されており、施設の屋外に設けられたアンテナから受信した放送波のうち特定周波数の放送波のみを施設内に再送信するように構成されているのがよい。これによれば、特に、持ち込みによる放送受信装置によって施設利用者が施設内において相応しくない番組を視聴してしまうのを防止することができる。
【００１６】
【発明の実施の形態】
以下、この発明の実施形態を図１乃至図４に基づいて説明する。
【００１７】
図１は携帯型受信端末２を示したブロック図である。携帯型受信端末２は、地上波ディジタルチューナー２３０によって地上波ディジタル放送を受信し、映像を液晶表示パネル２０２上に映し出すとともに、音声をイヤホン２０３から出力する。また、スロット２０１に差し込まれたマイクロドライブカード４から符号化映像・音声データを読み出し、映像を液晶表示パネル２０２上に映し出すとともに、音声をイヤホン２０３から出力する。液晶表示パネル２０２上にはタッチパネル２１１が貼られており、タッチペン等によってパネル操作を行って所望の指示を与えることができる。なお、携帯型受信端末２は電池２２１によって駆動される。
【００１８】
地上波ディジタルチューナ２３０は、地上波ディジタル放送で放送されるＭＰＥＧ４のビットストリームデータを取り出し、ＭＰＥＧ４デコーダ２０４に与えたり、メモリカード３への記録のためにシステムバス２１３に供給したりする。ＭＰＥＧ４デコーダ２０４は、ビットストリームデータを復号して量子化係数や動きベクトルを求め、逆ＤＣＴ変換や動きベクトルに基づく動き補償制御などを行うことによって得た映像データをグラフィックスコントローラ２０５に供給する。
【００１９】
グラフィックスコントローラ２０５は、映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面等）を液晶表示パネル２０２に表示する処理も行う。オーディオデコーダ２０６は、ビットストリーム中の音声符号データをＭＰＥＧ４デコーダ２０４から受け取り、復号して音声データを生成する。ＳＤＲＡＭ２１０は、ＭＰＥＧ４デコーダ２０４の上記処理において利用される。
【００２０】
マイクロドライブカード４に格納されたＭＰＥＧ４ビットストリームデータや静止画データなどは、ＰＣＭＣＩＡインターフェイス２２０、及びシステムバス２１３を経てＭＰＥＧ４デコーダ２０４に供給される。マイクロドライブカード４に格納された各種データを他の記録媒体に転送することを阻止するプロテクトはかけておらず、マイクロドライブカード４に格納された各種データをシステムバス２１３を介してメモリカード３に格納できるようにしている。
【００２１】
ＬＣＤコントローラ２０７は、グラフィックスコントローラ２０５から供給された映像データに基づいて液晶表示パネル２０２を駆動する。Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【００２２】
タッチパネル２１１に対する操作情報は、専用インターフェイス２１２、及びシステムバス２１３を介してＣＰＵ２０９に与えられる。ＣＰＵ２０９は上記操作情報と液晶表示パネル２０２上の操作ボタン等の表示との対応によって指令内容を把握して必要な処理を実行する。
【００２３】
また、無線ネットワークを可能にするために、通信ブロック２１６及びインターフェイス（例えば、Ｂｌｕｅｔｏｏｔｈ  （商標）など）２１７が設けられている。
【００２４】
ＣＰＵ２０９は、無線ネットワークのための処理、スロット２０１にメモリカード３やマイクロドライブカード４が装着された場合のデータ転送処理、通信ブロック２１６にて受信した指令信号に基づくマイクロドライブカード４の制御やリモコン受光部２３２にて受信した指令信号に基づくチューニング制御なども行う。また、受信カードインターフェイス（Ｉ／Ｆ）２３１に装填された受信カード（例えば、Ｂ−ＣＡＳカード（ＩＣカード））５から限定受信番組を受信するための鍵情報（契約情報）を読み出し、限定受信番組を受信するための処理も行なう。更に、ＣＰＵ２０９は各種情報（後述する展示物のリスト情報等）を受信カード５に書き込む処理も行なう。
【００２５】
図２は施設内展示物情報提供システムの概要を示した説明図である。施設１内で特定ＣＨ（チャンネル）以外の視聴が携帯型受信端末２ではできないようにするため、視聴電波遮断装置１１によりこれを実行し、施設１内の環境を整備している。具体的には、施設１を電波遮断材でシールドすると共に、施設１の屋外に設けたアンテナにて放送波を受信し、施設１内に設置した再送信装置によって受信放送波（限定受信ＣＨ）と同一の周波数で再送信している。
【００２６】
ユーザ（施設利用者）が施設内に入るときには、携帯型受信端末２や受信カード５を持参してもよいし、施設から借りることもできる。受信カード５を持参するときには、施設内に入るときに、専用の情報書込装置に受信カード５を差し込み、鍵情報や期限情報を記録してもらう。ユーザはこの受信カード５を携帯型受信端末２に装填して限定ＣＨを視聴できることになる。なお、期限情報を数日（例えば二日間等）に設定しておけば、施設外の自宅の放送受信装置においても数日間は限定ＣＨを受信できるようになる。
【００２７】
また、館内に入る際には、展示物に関連した情報（映像・音声・文字情報）が保存されたマイクロドライブカード４が貸与される。また、ユーザは自身所有のメモリカード３を館内に持ち込むことができ、このメモリカード３を携帯型受信端末２に装填し、マイクロドライブカード４内の情報をメモリカード３に転送することができる。
【００２８】
ユーザは、まず、施設全体を案内しているＣＨを携帯型受信端末２において選局し、視聴することにより施設や装置の説明、注意事項等を知ると共に、当該ＣＨによって展示物リスト（展示物整理番号群）を取得することができる。なお、展示物リストはマイクロドライブカード４から取得することもできる。また、ユーザは展示物に関連した情報提供のモードを携帯型受信端末２の画面上で選択する。このモードはそれがユーザによって変更されるまでは有効とされる。設定可能なモードとしては、「展示物のテーマごとのエリアＣＨ自動受信選択」、「ガイドの強制的視聴選択」、「展示物の音声のみのガイド選択」、「文字情報のみのガイド選択」、「映像を含んだメディアミックスしたガイド選択」等である。施設から貸与される携帯型受信端末２においては、これらの設定が行なえるようにソフトウェアが組み込まれているが、ユーザ持参の携帯型受信端末２では、これらの設定が行なえない場合もある。
【００２９】
ユーザがある展示テーマエリアに入ると、利用者感知センサー１２は例えば超音波検知方式等によってユーザを検知し、ユーザの進入を強制ＣＨ遷移信号送信機１３に与える。強制ＣＨ遷移信号送信機１３は、例えば、テレビリモコン送信機に相当するように構成されたものであれば、赤外線パルスのリモコン信号を出力することになる。受信端末２のリモコン受光部２３２はリモコン信号を受光してこれを電気信号に変換してＣＰＵ２０９に与える。ＣＰＵ２０９は、リモコン信号が意味する指令（ＣＨ遷移指令）を認識し、チューナ２３０を制御することになり、受信端末２の画面には選択ＣＨの受信映像が表示される。このような自動ＣＨ遷移をユーザが望まない場合には、「展示物のテーマごとのエリアＣＨ自動受信設定」において、「ＮＯ」を選択しておけばよい。なお、通信ブロック２１６を利用して受信端末２にＣＨ遷移指令を与えることも可能である。
【００３０】
管理情報送信装置１４が設置されている展示物に近づき、ユーザが携帯型受信端末２のメニュー画面に表示されている例えば「展示物情報要求」の項目部分を操作すると、要求信号が通信ブロック２１６から管理情報送信装置１４に送信される。なお、管理情報送信装置１４と通信ブロック２１６とが所定距離以上近づくことで通信可能となるように管理情報送信装置１４の受信感度を設定しておくと共に携帯型受信端末２の側では常に要求信号を送出しておくことにより、ユーザが展示物に近づいたときにユーザ操作無しで自動的に管理情報送信装置１４に要求信号が与えられることになる。このような自動処理は、「ガイドの強制的視聴選択」の設定が「ＹＥＳ」のときに行なわれるようにしている。管理情報送信装置１４は要求信号を受け取ると、展示物管理番号を示す信号を返送する。この信号は携帯型受信端末２の通信ブロック１６（赤外線信号送信の場合はリモコン受光部２３２）により受信され、ＣＰＵ２０９は展示物管理番号に基づいてマイクロドライブカード４から当該展示物に対応するコンテンツ（展示物詳細情報等）を読み出す。このコンテンツはＬＣＤパネル２０２やイヤホン２０３によってユーザに提供される。ユーザがこのとき視聴したコンテンツを保存する旨の意思表示を行なったときには（例えば、画面に表示されている「保存」のボタンを操作）、マイクロドライブカード４内に保存されているコンテンツについて、画質などを少し落とした小さいファイルサイズの圧縮ファイルがスロット２０１に挿入されたメモリーカード３に保存されるようにしている。また、このような情報の読み出しが行なわれたとき、その展示物管理番号が選択展示物リストとして受信カード５に記録されるようにしている。施設から貸与される携帯型受信端末２においては、これら一連の処理が行なえるようにソフトウェアが組み込まれているが、ユーザ持参の携帯型受信端末２では、これらの処理が行なえない場合もある。
【００３１】
なお、マイクロドライブカード４からの情報の読み出しは、ユーザが設定したモード（映像・音声，音声のみ，文字のみ）に従って行なわれるようにしている。また、管理情報送信装置１４がユーザ操作による要求信号を受け取ると、展示物へのアクセス回数を集計する目的で、管理情報送信装置１４に接続された集計サーバ１５にアクセス回数がカウントアップされ保存されるようにしている。
【００３２】
施設１を出るときにはマイクロドライブカード４など貸し出しを受けたものについては施設に返却することになる。持参した受信カード５に鍵情報や期限情報を書き込んでもらった場合、ユーザは、図３に示すように、例えば地上波ディジタル放送波が受信可能な固定受信機２１や移動受信機２２のカードスロットに受信カード５を装填することで、施設外でも限定ＣＨを所定期間は選局受信することができる。また、固定受信機２１や移動受信機２２がモデム等を備えて双方向通信が可能である場合（携帯型受信端末２が双方向通信可能であれば当該携帯型受信端末２も含まれる）、例えば、放送局３１にダイヤルアップ接続すると共に受信カード５に保存された選択展示物リストを読み出し、ブラウザ（現状はＢＭＬブラウザ）を利用して画面に表示する。この画面上で所望の展示物の項目を選択すると、放送局に通信回線を介して通知され、放送局内の番組コンテンツ蓄積サーバから要求展示物に関する映像・音声や説明文のデータ（コンテンツ）が双方向通信を利用して配信される。配信されるコンテンツには、施設内では視聴できなかった内容の情報も含まれている。
【００３３】
そして、この情報にＵＲＬ情報を含めておけば、図４に示すように、インターネットにより所定のホームページにアクセスすることができ、また、チャンネル情報を含めておけば、放送受信において関連商品購入ＣＨ等を受信することができる。この関連商品購入ＣＨの受信により、ユーザが関連商品の購入を希望するときには、この購入ＣＨよりメニューに従い操作を行なうと、放送局３１に通信回線を介して通知され、放送局３１内の販売情報管理サーバに保存され、関連商品の販売会社４１に通信回線を介して通知され、売買契約が結ばれる。その後は、通常の通信販売に見られる手順で、ユーザの下に商品が届き、ユーザは代金を支払うことになる。
【００３４】
また、レポートの作成や保存資料にする目的で、展示物に関する情報を編集保存したいときには、メモリーカード３を利用すればよい。メモリーカード３のリーダーを備えるパーソナルコンピュータやＰＤＡなどに編集ソフトをインストールしておけば、自由度の高い編集、様々な形式・媒体へ保存等を行なうことが可能である。また、番組コンテンツでもある程度の制限はあるが編集・保存は可能である。
【００３５】
【発明の効果】
以上説明したように、この発明によれば、美術館などの施設の利用者に様々な情報をディジタル放送を利用して提供できるので、施設の利用を促進できると共に、施設利用者においては、展示物の情報をメモするといった煩わしい作業は不要になり、自宅のパーソナルコンピュータ等を用いて情報を簡単に編集するといったことが可能となる等の諸効果を奏する。
【図面の簡単な説明】
【図１】この発明の施設内展示物情報提供システムで用いられる携帯型の放送受信装置の構成の一例を示したブロック図である。
【図２】この発明の実施形態の施設内展示物情報提供システムの概要を示した説明図である。
【図３】この発明の実施形態の施設内展示物情報提供システムにおける施設外での利用形態を示した説明図である。
【図４】この発明の実施形態の施設内展示物情報提供システムにおける施設外での商品購入形態を示した説明図である。
【符号の説明】
１    施設
２    携帯型受信端末
３    メモリカード
４    マイクロドライブカード
５    受信カード
１１  視聴電波遮断装置
１２  利用者検知センサ
１３  強制ＣＨ遷移信号送信機
１４  管理情報送信装置
１５  集計サーバ
【図１】
2004158955.tif 000003
【図２】
2004158955.tif 000004
【図３】
2004158955.tif 000005
【図４】
2004158955.tif 000006